(57)【要約】【課題】様々な使用状況下において快適な安息感あるいは安眠感が得られる健康指向に優れた枕を提供する。【解決手段】枕１を、袋２内に、木材玉３，３，・・と弾性ピース４，４，・・を充填して構成する。係る構成によれば、該枕１に頭部を預けることで、上記木材玉３，３，・・によって、これに接した部分に押圧刺激が加えられ、心地よい押圧感が得られるとともに、体内の血行が促進され疲労回復が図られる。しかも、この場合、上記多数の弾性ピース４，４，・・が弾性変形作用をもつことから、頭部の重みを受けてこれが適度に弾性変形することで、上記木材玉３，３，・・による頭部に対する押圧作用が適度に緩和され、長時間の継続使用においても頭部に疼痛感を与えない快適な押圧刺激を伴う使用感が得られる。【選択図】図１
2010094479.tif 000002
【特許請求の範囲】
【請求項１】
袋（２）内に、木材玉（３），（３），・・と弾性ピース（４），（４），・・を充填して構成されたことを特徴とする枕。
【請求項２】
請求項１において、
上記袋（２）が複数の袋部（２Ａ），（２Ｂ）を連設した構成であって、該複数の袋部（２Ａ），（２Ｂ）のそれぞれによって複数の枕部（１Ａ），（１Ｂ）が形成されていることを特徴とする枕。
【請求項３】
請求項２において、
上記複数の枕部（１Ａ），（１Ｂ）相互間にこれらの表面側から裏面側へ切れ込む隙間空間（６）が形成されたことを特徴とする枕。
【請求項４】
請求項２又は３において、
上記複数の枕部（１Ａ），（１Ｂ）相互間でその平面視における短辺方向寸法が異なっていることを特徴とする枕。
【請求項５】
請求項１、２、３又は４において、
上記袋（２）、又は上記各袋部（２Ａ），（２Ｂ）が開閉自在とされるとともに、
上記袋（２）内に、又は上記各袋部（２Ａ），（２Ｂ）内に、空室（３３）を形成する区画材（３２）が設けられ、
該空室（３３）に、内袋（３１）内に上記木材玉（３），（３），・・を充填してなる木材玉パッケーッジ（３０）が着脱自在に装着可能とされていることを特徴とする枕。
【発明の詳細な説明】
【技術分野】
【０００１】  本願発明は、適度の押圧刺激と芳香刺激によって安息感あるいは安眠感を得ることのできるようにした枕に関するものである。
【背景技術】
【０００２】  従来の枕は、休息あるいは睡眠状態において、頭部を弾性的にサポートすることで特に頚部にかかる負担を軽減し、心地よい休息感あるいは安眠感を確保する等の観点から、枕の内部充填材として、適度の柔軟性と復元性を備えた素材、例えば、綿とかスポンジ等が用いられるのが通例であった。【０００３】  ところが、近年の健康意識の高まりを背景に、枕においても、従来とは性状、特性の異なるものが多数提案されている（例えば、特許文献１〜３）。【０００４】  特許文献１に示されるものは、木炭屑を入れた木炭屑用扁平袋と、桐チップを入れた桐チップ扁平袋を上下二段に積層固定して構成され、木炭屑による効果（例えば吸湿・排湿効果等）と桐チップによる効果（例えば、防虫効果）を得ることを目的とするものである。【０００５】  特許文献２に示されるものは、木炭を詰めた内袋の表裏両面側に、綿を充填した外袋を積層して構成され、上記内袋に詰められた木炭の保温性、透湿性等を利用するものである。【０００６】  特許文献３に示されるものは、横方向に連接した三個の袋のうち、第１の袋には鉋屑等を充填し、第２及び第３の内には木製の小躯体を充填して構成され、鉋屑等によって柔軟性とクッション性を確保しつつ、木製の小躯体の表面が擦れ合う際に発生する小躯体の有効成分や芳香による癒し効果を得るようにしたものである。【０００７】  ところで、人の体は、マッサージとか指圧等の押圧刺激によって血行が促進され疲労回復が図れること、及び芳香刺激によって癒し効果が得られることは周知の事実である。【０００８】  しかるに、上述のように従来の枕は、芳香刺激作用とか吸湿・保温作用を得るための構成のみに重点を置いたものであって、押圧刺激とか、押圧刺激と芳香刺激の双方を得るための構成については何等の提案もされていなかった。【０００９】  このような事情から、特許文献４に示されるように、充填材として、木材又は樹脂材で回転体状に形成された多数のチップを、弾性をもつ糸材で順次連結したものを用い、これを袋内に充填して枕を構成したものが提案されている。【００１０】  この枕では、使用者の状況に応じた枕形状の多様化に対処することを主たる効果として挙げているが、さらに付随的効果として、チップによる押圧刺激が得られ、またチップを檜等の芳香性木材で形成した場合には芳香刺激による癒し効果も期待でき、枕の使用者の快適性の向上という点において、従来の枕よりも進化した枕といえる。【００１１】
【特許文献１】  特開平８−２１４９９７号公報
【特許文献２】  特開平１０−３０９２２５号公報
【特許文献３】  特開平１１−２９０１８３号公報
【特許文献４】  特開２００８−４９１４４号公報
【発明の開示】
【発明が解決しようとする課題】
【００１２】  ところが、特許文献４に示される枕のように、回転体状に形成された多数のチップのみを充填して構成されたものにあっては、枕に頭部を乗せた場合、各チップ相互間の滑りによってある程度は頭部形状に沿って変形するものの、該チップ自体は弾性を殆ど持たないことから、場合によってはチップ側からの反力によって頭部表面が過度に押圧され、長時間の使用には苦痛を伴うということも考えられる。【００１３】  また、一旦、枕形状が使用者の頭部形状に沿って変形すると、その後、例え枕から頭部を離しても、枕形状はそのまま保持され、当初形状に復帰するということは望めない。従って、例えば、仰臥姿勢で枕を使用していた状態から、横臥姿勢に姿勢変更し、それに伴って枕に当たる頭部の部位が変化しても（即ち、後頭部が枕に当っていた状態から、側頭部が枕に当たる状態となっても）、枕形体は後頭部の形状のまま保持されるため、再度、側頭部を枕に乗せて、側頭部の形状に対応するように枕形状を変化させることが必要となり、特に頻繁に寝返りを打つような場合には、その度に枕形状に違和感をもつこととなり、枕の快適な使用感という点において問題がある。【００１４】  さらに、仰臥姿勢で枕を使用して休息等をとる場合は、後頭部が枕に当ることから問題ないが、例えば、横臥姿勢で枕を使用して休息等をとる場合は、側頭部にある耳部分が頭部も重さによって枕表面に押し付けられることから、耳部分に疼痛感が生じ、枕使用による快適感が阻害されるという問題もある。【００１５】  そこで本願発明は、様々な使用状況下において快適な安息感あるいは安眠感が得られる健康指向に優れた枕を提供することを目的としてなされたものである。
【課題を解決するための手段】
【００１６】  本願発明では、上記課題を解決するために以下のような構成を採用している。【００１７】  本願の第１の発明に係る枕は、袋２内に、木材玉３，３，・・と弾性ピース４，４，・・を充填して構成されたことを特徴としている。【００１８】  本願の第２の発明は、上記第１の発明に係る枕において、上記袋２を複数の袋部２Ａ，２Ｂを連設した構成とし、該複数の袋部２Ａ，２Ｂのそれぞれによって複数の枕部１Ａ，１Ｂを形成したことを特徴としている。【００１９】  本願の第３の発明は、上記第２の発明に係る枕において、上記複数の枕部１Ａ，１Ｂ相互間にこれらの表面側から裏面側へ切れ込む隙間空間６を形成したことを特徴としている。【００２０】  本願の第４の発明は、上記第２又は第３の発明に係る枕において、上記複数の枕部１Ａ，１Ｂ相互間でその平面視における短辺方向寸法を異ならせたことを特徴としている。【００２１】  本願の第５の発明は、上記第１、第２、第３又は第４の発明に係る枕において、上記袋２、又は上記各袋部２Ａ，２Ｂを開閉自在とするとともに、上記袋２内に、又は上記各袋部２Ａ，２Ｂ内に、空室３３を形成する区画材３２を設け、該空室３３に、内袋３１内に上記木材玉３，３，・・を充填してなる木材玉パッケーッジ３０を着脱自在に装着可能としたことを特徴としている。
【発明の効果】
【００２２】  本願発明では次のような効果が得られる。【００２３】（ａ）本願の第１の発明によれば、袋２内に、木材玉３，３，・・と弾性ピース４，４，・・を充填して枕１を構成しているので、該枕１に頭部を預けることで、上記木材玉３，３，・・によって、これに接した部分に押圧刺激が加えられ、心地よい押圧刺激によって、体内の血行が促進され疲労の回復が図られる。【００２４】  この場合、上記木材玉３，３，・・と共に上記袋２内に充填された上記多数の弾性ピース４，４，・・が弾性変形作用をもつことから、頭部等の重みを受けてこれが適度に弾性変形し、これによって、上記木材玉３，３，・・による頭部等に対する押圧作用が適度に緩和される。この結果、例え枕１を長時間使用しても頭部等に疼痛感を与えない、快適な押圧刺激を受けることができ、疲労回復効果がさらに促進される。【００２５】  また、上記弾性ピース４，４，・・は弾性復元作用をもつことから、枕１に対する押圧力が一時的に軽減あるいは解除され、再度押圧力が掛かるような場合、例えば、寝返りを打ったことで枕１に当接する頭部側の部位が、後頭部と側頭部の間で変化したような場合、枕１は押圧力の軽減あるいは解除とともに即座に所期形状への復帰作用を受けるとともに、新たな当接部位からの押圧力を受けてこの当接部位の形状に沿うように素早く変形してこれを的確にサポートする、即ち、枕１の形状が、該枕１に当接する頭部の部位の変化に追従して変化するものであり、これによってサポート作用の中断の無い快適な使用感が得られ、延いては、枕１の使用による安息感あるいは安眠感がより一層促進される。【００２６】  さらに、上記木材玉３，３，・・が芳香性の木材で形成された場合には、上記枕１を使用する人は、該木材玉３，３，・・から放散される芳香あるいは有効成分（例えば、マイナスイオン）によって適度の芳香刺激が与えられ、精神的な安定が促進される等の癒し効果を享受することができる。【００２７】（ｂ）本願の第２の発明に係る枕によれば、上記（ａ）に記載の効果に加えて以下のような特有の効果が得られる。即ち、この発明では、上記袋２を複数の袋部２Ａ，２Ｂを連設した構成とし、該複数の袋部２Ａ，２Ｂのそれぞれによって複数の枕部１Ａ，１Ｂが形成しているので、上記各袋部２Ａ，２Ｂへの木材玉３と弾性ピース４の充填量を調整して上記各枕部１Ａ，１Ｂの双方又は相互間の高さ調整を行なうこと、及び上記各袋部２Ａ，２Ｂへの木材玉３と弾性ピース４の充填比率を調整して上記各枕部１Ａ，１Ｂ双方又は相互間の硬さ調整を行なうこと、が共に容易であり、特に上記各袋部２Ａ，２Ｂを開閉自在とした場合には、枕１の使用者は上記木材玉３と弾性ピース４の充填量を調整、あるいは木材玉３と弾性ピース４の充填比率を調整することで、枕高さ及び枕硬さを自己の好みに合わせることができるなど、枕使用者の好みの多様化に容易且つ的確に応えることができ、延いては、枕１の商品価値の向上を図ることができる。【００２８】（ｃ）本願の第３の発明に係る枕によれば、上記（ｂ）に記載の効果に加えて以下のような特有の効果が得られる。即ち、この発明では、上記複数の枕部１Ａ，１Ｂ相互間にこれらの表面側から裏面側へ切れ込む隙���空間６を形成しているので、例えば、顔を横に向けた横臥姿勢で枕１を使用する場合には、上記隙間空間６に耳が対応するようにして使用することで、頭部の重さによる耳への圧迫感が可及的に軽減され、横臥姿勢での使用感が格段に向上し、使用者に快適な安息感あるいは安眠感を与えることができる。【００２９】  さらに、例えば、眼鏡を掛けた人がそのまま横臥姿勢で枕１を使用するような場合には、該眼鏡の位置を上記枕１の隙間空間６に合わせることで、また、耳たぶ部分に耳飾を装着した人が横臥姿勢で枕１を使用するような場合には、該耳飾の位置を上記枕１の隙間空間６に合わせることで、共に、眼鏡の側部及び耳飾に対する圧迫が上記隙間空間６の存在によって可及的に低減され、これによって横臥姿勢で枕１を使用する場合における制約が少なくなり、その使用上の利便性が向上する。【００３０】（ｄ）本願の第４の発明に係る枕によれば、上記（ｂ）又は（ｃ）に記載の効果に加えて以下のような特有の効果が得られる。即ち、この発明では、上記複数の枕部１Ａ，１Ｂ相互間でその平面視における短辺方向寸法を異ならせているので、例えば、使用者が、頚部を確実にサポートしたいと思う場合には、短辺方向寸法の小さい枕部１Ａ又は１Ｂを頚部に合わせるようにして使用し、また、上肩部から頚部に掛けての範囲を確実にサポートしたいと思う場合には、短辺方向寸法の大きい枕部１Ｂ又は１Ａを上肩部から頚部に掛けての範囲に合わせるようにして使用するなど、必要に応じて上記枕１を平面上において１８０°反転させて使用することで、該枕１を使用者の好みによって使い分けることができ、その使用上の利便性が向上する。【００３１】  また、上述のように、使用者が眼鏡を装着し、あるいは耳飾を装着している場合には、頭部における眼鏡の装着位置は耳飾の装着位置よりも頭頂部寄りとなり、これら両者間に位置的なズレがあるため、このズレに合わせるように、使用者が眼鏡を装着している場合には枕１の短辺方向寸法の小さい枕部１Ａ又は１Ｂが頭頂部寄りに位置するように、使用者が耳飾を装着している場合には短辺方向寸法の大きい枕部１Ｂ又は１Ａが頭頂部寄りに位置するように、上記枕１を平面上において１８０°反転させて使用することで、使用者の状況に対応した枕１の使用が可能となり、その使用上の利便性が向上する。【００３２】（ｅ）本願の第５の発明に係る枕によれば、上記（ａ）、（ｂ）、（ｃ）又は（ｄ）に記載の効果に加えて以下のような特有の効果が得られる。即ち、この発明では、上記袋２、又は上記各袋部２Ａ，２Ｂを開閉自在とするとともに、上記袋２内に、又は上記各袋部２Ａ，２Ｂ内に、空室３３を形成する区画材３２を設け、該空室３３に、内袋３１内に上記木材玉３，３，・・を充填してなる木材玉パッケーッジ３０を着脱自在に装着可能としているので、枕１の長期の使用によって上記木材玉パッケーッジ３０内の木材玉３，３，・・からの芳香の放散能力が低下したような場合には、該木材玉パッケーッジ３０を上記空室３３から取り出して、これを新しい木材玉パッケーッジ３０に交換することで木材玉３，３，・・からの芳香の放散能力が回復され、その結果、長期間に亘って木材玉３，３，・・から放散される芳香によ��癒し効果を享受できることになる。
【発明を実施するための最良の形態】
【００３３】  Ａ：第１の実施形態
図１及び図２には、本願発明の第１の実施形態に係る枕１を示している。この枕１は、枕１内に、多数の木材玉３，３，・・と多数の弾性ピース４，４，・・を混合状態で充填して構成されるものであって、特にこの実施形態では隣接配置された二つの枕部１Ａ、１Ｂを備えた構成とされている。【００３４】  即ち、上記袋２は、例えば、布目の粗いメッシュ布で構成される内側材と布目の密な不織布等の布材で構成される外側材からなる積層構造の二重布材を長矩形の平面形体をもつ袋状に縫製するとともに、その短辺寸法を略「２：１」の比率で区画する位置においてその表面側と裏面側を長辺方向に向けて縫合し、その縫合部５の一方側を第１袋部２Ａ、他方側を第２袋部２Ｂとしている。そして、これら第１袋部２Ａと第２袋部２Ｂの一方の端縁２Ａａ，２Ｂａをそれぞれ止着材７、８によって開閉可能に閉塞する一方、他方の端縁２Ａｂ，２Ｂｂはこれを縫合により閉塞している。【００３５】  このような二分構成の袋２の各袋部２Ａ，２Ｂに、次述の木材玉３及び弾性ピース４を充填することで、上記第１袋部２Ａに対応する部分を第１枕部１Ａとし、上記第２袋部２Ｂに対応する部分を第２枕部１Ｂとした二分構成の上記枕１が得られるものである。この場合、上記枕１においては、上記第１袋部２Ａと第２袋部２Ｂの膨らみによって、これら両者の縫合部５部分に、該縫合部５に沿って枕１の幅方向へ延出する断面略楔状に切れ込む隙間空間６が、該枕１の表面側と裏面側にそれぞれ形成される。なお、これら表裏両側に形成される隙間空間各６，６は、図１に示すように、常時一定形状に保持されるものではなく、図４、図５に示すように、上記各枕部１Ａ，１Ｂの変形に伴って変形し、通常は、上記枕１の下面側は床面１０に接して略平面状とされることから、表面側の隙間空間６が大きく、裏面側の隙間空間６は小さくなる。係る現象は、上記隙間空間６を眼鏡２８とは耳飾２７の進入許容部位として利用する場合に好都合である。【００３６】  また、上記袋２の第１袋部２Ａと第２袋部２Ｂの比率、即ち、上記第１枕部１Ａと第２枕部１Ｂの比率は、上記のような「２：１」の比率に限定されるものではなく、必要に応じて適宜設定できるものである。また、上記袋２を第１袋部２Ａと第２袋部２Ｂからなる二分構成としているが、これに限定されるものではなく、複数構成であれば良く、必要に応じて変更設定できるものである。さらに、ここでは、上記第１袋部２Ａと第２袋部２Ｂの一方の端縁２Ａａ，２Ｂａのみを止着材７，８によって開閉可能としているが、これに限定されるものではなく、該一方の端縁２Ａａ，２Ｂａに加えて、他方の端縁２Ａｂ，２Ｂｂをも止着材によって開閉可能に構成することもできる。【００３７】  上記木材玉３は、図３（イ）に示すように、適宜の木材、望ましくは檜材を用いて略球状に形成されたものであって、その径寸法は８ｍｍ〜１５ｍｍ、望ましくは１０ｍｍ程度に設定される。又、この木材玉３は、望ましくは完全球体に近い形状とされるが、必ずしもこれに限定されるものではなく、少なくとも角の無い略球状形体であればよい。【００３８】  上記弾性ピース４は、図３（ロ）に示すように、例えば、外径５ｍｍ〜１０ｍｍ程度のビニールパイプ��長さ８ｍｍ〜１５ｍｍ程度に切り取って構成され、適度の弾性復元性を備えている。なお、この弾性ピース４は、ビニールパイプで構成されるものに限らず、適度の弾性復元性を備えるものならば、その素材、形状は限定されず、またパイプ体に限定されるものではなく、例えば、図３（ハ）に示すような適度の弾性復元性を備えたスポンジ体で構成することも可能である。【００３９】  以上のように構成された枕１は、図４及び図５に示すように、仰臥姿勢で使用するのが一般的であるが、これに限らず、横臥姿勢（図示省略）で使用されることもある。【００４０】  また、枕１の人２０に対する配置方向としては、図４に示すように、該枕１の第１枕部１Ａを頭頂部側へ向けた状態で配置する場合と、図５に示すように、上記枕１の第２枕部１Ｂを頭頂部側へ向けた状態で配置する場合とがあり、この配置位置は使用者の好み、あるいは使用状況等に応じて適宜選択されるものである。【００４１】  この実施形態の枕１においては、以下のような特有の作用効果が得られるものである。【００４２】  即ち、この枕１は、上記袋２の第１袋部２Ａ及び第２袋部２Ｂ内に、多数の木材玉３，３，・・と多数の弾性ピース４，４，・・を充填して構成されているので、図４及び図５に示すように、休息あるいは睡眠に際して、人２０がその頚部２２から頭部２３にかけての部分を上記枕１に預けると、該枕１内の上記木材玉３，３，・・によって、これに接した頭部２３の後頭部とか側頭部、さらに頚部２２とか肩部２１に、該木材玉３，３，・・からの反力として押圧力が作用し、適度の押圧刺激が加えられる。この結果、人２０は、心地よい押圧刺激によって体内の血行が促進され、疲労の回復が図られることになる。【００４３】  この場合、上記木材玉３，３，・・と共に上記袋２内に充填された上記弾性ピース４，４，・・が弾性変形作用をもつことから、人２０頭部２３の重みを受けてこれが適度に弾性変形し、これによって、上記木材玉３，３，・・による頭部２３に対する押圧作用が適度に緩和される。この結果、例え枕１を長時間使用しても頭部２３等に疼痛感を与えない、快適な押圧刺激を受けることができ、疲労回復効果がさらに促進される。【００４４】  また、上記弾性ピース４，４，・・は弾性復元作用をもつことから、上記枕１に対する押圧力が一時的に軽減あるいは解除され、再度押圧力が掛かるような場合、例えば、寝返りを打ったことで上記枕１に当接する頭部２３側の部位が、後頭部と側頭部の間で変化したような場合、該枕１は押圧力の軽減あるいは解除とともに即座に所期形状への復帰作用を受けるとともに、新たな当接部位からの押圧力を受けてこの当接部位の形状に沿うように素早く変形してこれを的確にサポートする構造とになる。即ち、上記枕１の形状が、該枕１に当接する部位の変化に追従して変化するものであり、これによってサポート作用の中断の無い快適な使用感が得られ、延いては、上記枕１の使用による安息感あるいは安眠感がより一層促進されることになる。【００４５】  さらに、この実施形態では、上記木材玉３，３，・・を、芳香性をもつ檜材で形成しているので、上記枕１を使用する人は、該木材玉３，３，・・から放散される芳香あるいは有効成分（例えば、マイナスイオン）によって適度の芳香刺激が与えられ、精神的な安定が促進される等の癒し効果を享受することができる。【００４６】  また、この実施形態の枕１では、上記袋２を上記第１袋部２Ａと上記第２袋部２Ｂを連設した構成とし、これら各袋部２Ａ、２Ｂのそれぞれによって上記第１枕部１Ａと第２枕部１Ｂを形成するとともに、これら各袋部２Ａ，２Ｂのそれぞれを開閉自在としているので、該各袋部２Ａ，２Ｂへの木材玉３及び弾性ピース４の出し入れを容易且つ簡便に行なうことができる。この結果、例えば、上記各袋部２Ａ，２Ｂへの木材玉３と弾性ピース４の充填量を調整して上記各枕部１Ａ，１Ｂの高さ調整を行なうこととか、上記各袋部２Ａ，２Ｂへの木材玉３と弾性ピース４の充填比率を調整して上記各枕部１Ａ，１Ｂの硬さ調整を行なうとか、さらにこれら枕高さと枕硬さを上記各枕部１Ａ，１Ｂ相互間において相対的に調整すること、等が容易であり、上記枕１の使用者の枕高さとか枕硬さについての好みの多様化に容易に且つ的確に応えることができ、延いては、上記枕１の商品価値の向上が期待できる。【００４７】  また、このような上記各袋部２Ａ，２Ｂへの木材玉３と弾性ピース４の出し入れの容易さから、例えば、上記枕１の長期の使用によって上記木材玉３が変形・変質し、あるいは芳香の放散性が低下したような場合には、容易に木材玉３及び弾性ピース４を新しいものと取り換えることができ、これによって上記枕１の長期に亘る使用が可能となり、延いては枕１の経済性が確保される。【００４８】  一方、この実施形態の枕１では、上記袋２を第１袋部２Ａと第２袋部２Ｂを連設した構成とし、該各袋部２Ａ，２Ｂのそれぞれによって上記各枕部１Ａ，１Ｂを形成するとともに、該複数の枕部１Ａ，１Ｂ相互間にこれらの表面側から裏面側へ切れ込む隙間空間６を形成しているので、例えば、顔を横に向けた横臥姿勢で枕１を使用する場合には、上記隙間空間６に耳２４が対応するように位置設定をして使用することで、頭部２３の重さによる耳２４への圧迫感が可及的に軽減され、横臥姿勢での使用感が格段に向上し、使用者に快適な安息感あるいは安眠感を与えることができる。【００４９】  さらに、例えば、図５に示すように、眼鏡２８を掛けた人がそのまま横臥姿勢で枕１を使用するような場合には、該眼鏡２８の位置を上記枕１の隙間空間６に合わせることで、また、図４に示すように、耳たぶ部分に耳飾２７を装着した人が横臥姿勢で枕１を使用するような場合には、該耳飾２７の位置を上記枕１の隙間空間６に合わせることで、共に、眼鏡２８の側部及び耳飾２７に対する圧迫が上記隙間空間６の存在によって可及的に低減され、これによって横臥姿勢で枕１を使用する場合における制約が少なくなり、その使用上の利便性が向上する。【００５０】  また、この実施形態の枕１では、上記各枕部１Ａ，１Ｂ相互間でその平面視における短辺方向寸法を異ならせているので、例えば、人２０が、頚部２２部分を確実にサポートしたいと思う場合には、図４に示すように、短辺方向寸法の小さい第２枕部１Ｂを頚部２２に合わせるようにして使用し、また、上肩部２１から頚部２２に掛けての範囲を確実にサポートしたいと思う場合には、図５に示すよ��に、短辺方向寸法の大きい第１枕部１Ａを上肩部２１から頚部２２に掛けての範囲に合わせるようにして使用するなど、必要に応じて上記枕１を平面上において１８０°反転させて使用することができ、それだけ枕１の使用上の利便性が向上することになる。【００５１】  さらに、上述のように、使用者が眼鏡２８を装着し、あるいは耳飾２７を装着しているような場合には、頭部２３における眼鏡２８の装着位置は耳飾２７の装着位置よりも頭頂部寄りとなり、これら両者間に位置的なズレがあるため、このズレに合わせるように、人２０が眼鏡２８を装着している場合には上記枕１の第２枕部１Ｂが頭頂部寄りに位置するように、人２０が耳飾２７を装着している場合には上記第１枕部１Ａが頭頂部寄りに位置するように、上記枕１を平面上において１８０°反転させて使用することで、使用者の状況に対応した枕１の使用が可能となり、その使用上の利便性がさらに向上することになる。【００５２】  Ｂ：第２の実施形態
図６及び図７には、本願の第２の実施形態に係る枕１を示している。この枕１は、上記第１の実施形態に係る枕１を基本形態とし、これに「芳香による癒し効果の持続性」という新たな効果を実現するための構成を付加したものである。【００５３】  即ち、この枕１は、二分構成の袋２の各袋部２Ａ，２Ｂに、木材玉３及び弾性ピース４を充填することで、上記第１袋部２Ａに対応する第１枕部１Ａと、上記第２袋部２Ｂに対応する第２枕部１Ｂを設けた二分構成の枕を基本形態とし、さらにこの基本形態において、上記袋２の各袋部２Ａ，２Ｂ内の上記縫合部５の近傍位置に、上記袋２と同様の布材で構成され且つその内部を空室３３とする袋状の区画材３２、３２を、上記縫合部５において上記各袋部２Ａ，２Ｂと一体的に縫合固定した状態で、それぞれ設けたものである。なお、この各区画材３２、３２の、上記各袋部２Ａ、２Ｂの上記各止着材７，８を取付けた側の端部２Ａａ，２Ｂａに対応する端部は開放されており、該端部は上記各止着材７，８の開放によって外方に露出するようになっている。【００５４】  上記各各区画材３２、３２の各空室３３、３３には、上記  開放側の端部側から次述の木材玉パッケージ３０が挿脱自在とされている。この木材玉パッケージ３０は、図８に示すように、上記袋２と同様の布材で構成された円筒状形体をもつ内袋３１内に上記木材玉３のみを所定量充填して構成される。なお、この内袋３１の一端は止着材７によって開閉自在とされ、必要に応じて該止着材７を開放して上記木材玉３の詰め替えができるようになっている。【００５５】  このように、上記袋２の各袋部２Ａ，２Ｂ内に、さらに上記木材玉パッケージ３０を挿脱可能とし、且つ該木材玉パッケージ３０の上記内袋３１内に充填された木材玉３の詰め替えを可能としたことで、上記枕１の使用者は、木材玉３からの芳香の放散が減少したと思われるとき、上記木材玉パッケージ３０を上記枕１側から取り出して、上記内袋３１内に充填された木材玉３の詰め替えを行なうことで、新しい木材玉３から放散される芳香によって「芳香による癒し効果」を再度享受できる。従って、係る木材玉３の詰め替えを必要に応じて繰り返すことで、「芳香による癒し効果」を長期に亘って継続的に享受できることになり、延いては、上記枕１の経済性が促進されることになる。【００５６】  なお、上記木材玉パッケージ３０の木材玉３からの芳香の他に、上記袋２の各袋部２Ａ，２Ｂ内に充填された木材玉３からの芳香によっても「芳香による癒し効果」が得られることは言うまでも無い。【００５７】  一方、図９には、上記枕１の他の構造例を示している。この枕１は、上記実施形態の枕１においては、上記袋２の各袋部２Ａ，２Ｂ内に木材玉３と弾性ピース４を混合状態で充填していたのに対して、上記袋２の各袋部２Ａ，２Ｂ内に弾性ピース４のみを充填したものである。従って、この枕１は、木材玉３の押圧力による「指圧効果」を抑え、「癒し効果」を重視した枕であって、例えば、「指圧効果」を好まない使用者にとって好適な枕である。【００５８】  なお、上記以外の作用効果は上記第１の実施形態における枕１の場合と同様であるので、該当説明を援用し、ここでの説明を省略する。
【図面の簡単な説明】
【００５９】
【図１】  本願発明の第１の実施形態に係る枕の全体斜視図である。
【図２】  図１のＩＩ−ＩＩ断面図である。
【図３】  枕の充填物を示す斜視図である。
【図４】  枕の第１の使用状態の説明図である。
【図５】  枕の第２の使用状態の説明図である。
【図６】  本願発明の第２の実施形態に係る枕の全体斜視図である。
【図７】  図６のＶＩＩ−ＶＩＩ断面図である。
【図８】  図６に示した木材玉パッケージの全体斜視図である。
【図９】  上記枕の他の構造例を示す断面図である。
【符号の説明】
【００６０】  １    ・・枕
１Ａ    ・・第１枕部
１Ｂ    ・・第２枕部
２    ・・袋
２Ａ    ・・第１袋部
２Ｂ    ・・第２袋部
３    ・・木材玉
４    ・・弾性ピース
５    ・・縫合部
６    ・・隙間空間
７    ・・止着材
８    ・・止着材
１０    ・・床面
２０    ・・人
２１    ・・肩部
２２    ・・頚部
２３    ・・頭部
２４    ・・耳
２７    ・・耳飾
２８    ・・眼鏡
３０    ・・木材玉パッケージ
３１    ・・内袋
３２    ・・区画材
３３    ・・空室
【図１】
2010094479.tif 000003
【図２】
2010094479.tif 000004
【図３】
2010094479.tif 000005
【図４】
2010094479.tif 000006
【図５】
2010094479.tif 000007
【図６】
2010094479.tif 000008
【図７】
2010094479.tif 000009
【図８】
2010094479.tif 000010
【図９】
2010094479.tif 000011